(57)【特許請求の範囲】
【請求項１】
標準測定結果を局所測定結果へマッピングするためのコンピュータにより実現される方法であり、
前記コンピュータのプロセッサが、
構造化報告情報オブジェクトを読むステップと、
前記構造化報告情報オブジェクトからの前記標準測定結果と、局所測定結果データベースからの対応する既存の局所測定結果とをマッチングするステップであって、１以上の標準測定結果がある局所測定結果に関連付け可能であり、１以上の標準測定結果がある局所測定結果と関連付けされる場合、デフォルト標準測定結果が前記局所測定結果に対して選択される、マッチングするステップと、
前記一致した標準測定結果と前記対応する既存の局所測定結果とを含み、さらに局所測定結果に対応しない不一致の標準測定結果を含むサマリーページを生成するステップと、を実行する方法。
【請求項２】
請求項１に記載の方法であり、さらに前記サマリーページを表示するステップを含む、方法。
【請求項３】
請求項１に記載の方法であり、さらに前記不一致の標準測定結果を一致させるステップを含む、方法。
【請求項４】
請求項３に記載の方法であり、前記不一致の標準測定結果を一致させるステップが、前記不一致の標準測定結果に対応する新規な局所測定結果をユーザに編集させるステップを含む、方法。
【請求項５】
請求項３に記載の方法であり、前記不一致の標準測定結果を一致させるステップが、前記局所測定結果データベースから前記不一致の標準測定結果に対応する既存の局所測定結果をユーザに選択させるステップを含む、方法。
【請求項６】
請求項３に記載の方法であり、さらに
前記不一致の標準測定結果に対応してデフォルト局所測定結果を選択するステップと、
前記不一致の標準測定結果の一致を前記局所測定結果データベースに記憶するステップと、
を有する方法。
【請求項７】
請求項１に記載の方法で、前記標準測定結果がＤＩＣＯＭ測定結果である、方法。
【請求項８】
標準測定結果を局所測定結果にマッピングするためのシステムであり、
前記システムが、
局所測定結果及び対応する標準測定結果を記憶するためのメモリと、
構造化報告情報オブジェクトを読み、前記構造化報告情報オブジェクトからの前記標準測定結果と前記メモリからの対応する既存の局所測定結果とをマッチングし、前記一致した標準測定結果と前記対応する既存の局所測定結果とを含み、さらに局所測定結果に対応しない不一致の関連付けされていない標準測定結果を含むサマリーページを生成し、１以上の標準測定結果が局所測定結果に関連付け可能であり、１以上の標準測定結果がある局所測定結果と関連付けされる場合、デフォルト標準測定結果を前記局所測定結果に対して選択するプロセッサと、
を有するシステム。
【請求項９】
請求項８に記載のシステムであり、さらに前記サマリーページを表示する表示装置を含み、前記メモリが前記局所測定結果及び前記対応する標準測定結果を測定結果データベースに記憶する、システム。
【請求項１０】
請求項８に記載のシステムであり、前記プロセッサが前記不一致の標準測定結果を一致させる、システム。
【請求項１１】
請求項１０に記載のシステムであり、さらにユーザインタフェースを含み、前記ユーザインタフェースを介し、前記不一致の標準測定結果に対応する新たな局所測定結果をユーザに追加させる、システム。
【請求項１２】
請求項１０に記載のシステムであり、さらにユーザインタフェースを含み、前記ユーザインタフェースを介し、前記メモリから前記不一致の標準測定結果に対応する既存の局所測定結果をユーザに選択させる、システム。
【請求項１３】
請求項１０に記載のシステムであり、さらに前記不一致の標準測定結果に対応するデフォルト局所測定結果をユーザに選択させるユーザインタフェースを含む、システム。
【請求項１４】
請求項８に記載のシステムであり、さらに局所測定結果及びＤＩＣＯＭ測定結果情報の１つをユーザに入力させるユーザインタフェースを含む、システム。
【請求項１５】
請求項８に記載のシステムであり、前記標準測定結果がＤＩＣＯＭ測定結果である、システム。
【発明の詳細な説明】
【技術分野】
【０００１】
【背景技術】
【０００２】
ＤＩＣＯＭ（以下「ダイコム」とする。医療におけるデジタルイメージ及び通信規格）は、ソフトウェアに基づく相互運用メカニズムを提供することで、医療装置及び／又はシステム間でネットワーク又は媒体を介して、イメージ及び測定などの医療関連情報を伝達するための業界標準である。特に、ＤＩＣＯＭプロトコルを介して伝達される測定結果（例えば患者情報、イメージデータなど）は、構造化報告情報オブジェクト（ＳＲオブジェクト）と呼ばれるソフトウェアオブジェクトにバンドルされている。前記ＳＲオブジェクトは、ＳＲセンダー（例えば、ＣＴ、ＭＲ、Ｘ線などの種々のモダリティのＤＩＣＯＭ医療イメージング装置）からのＤＩＣＯＭプロトコルを通じて伝達可能なものである。前記ＳＲセンダーは測定結果を前記ネットワークへ送るか又はそれを媒体上のファイルに書き込み、その一方で前記ＳＲセンダーは、前記ネットワークから又は前記媒体上のファイルから測定結果を受け取る。
【０００３】
特に前記ＳＲセンダーは、局所的測定結果をＤＩＣＯＭテンプレート及びコードを用いてＤＩＣＯＭ測定結果へ変換／エンコードする。ＤＩＣＯＭ測定結果を受け取ると、前記ＳＲレシーバーは前記ＤＩＣＯＭ測定結果をＤＩＣＯＭテンプレート及びコードに従って局所測定結果へ変換／デコードしなければならない。マッピングファイルは１組のハードコーティングされたファイルであり、前記医療装置／システムに同梱されており、ＤＩＣＯＭ測定結果と局所測定結果の間のマッピングを扱うものである。前記ＳＲセンダーにとっては、前記マッピングファイルは、前記局所測定結果をＤＩＣＯＭ測定結果に変換する方法を決めるものである。前記ＳＲセンダーにとっては、前記マッピングファイルは、前記エンドユーザによる使用のために前記ＤＩＣＯＭ測定結果をその局所測定結果へ変換する方法を指示するものである。前記ＳＲレシーバーは、１組のマッピングファイルを含み、１つのマッピングファイルは、ＤＩＣＯＭ測定結果を受け取り得るそれぞれのターゲットＳＲセンダーシステムに対応し得る。
【０００４】
このマッピングファイルの方法は、しかしながら欠点を持つ。例えば、前記マッピングファイルがあるＳＲレシーバーシステムに同梱されてしまうと、このＳＲレシーバーから測定結果を受け取り得る前記ターゲットＳＲセンダーが固定されてしまう、ということである。このＳＲレシーバーが新たなセンダーから測定結果を受け取ることができるためには、新たなマッピングファイルが作られ、このＳＲレシーバーの顧客へ送らなければならない。さらに、前記ターゲットＳＲセンダーの１つによりＤＩＣＯＭ測定実施結果の全ての変更、例えばさらにＤＩＣＯＭ測定結果の追加又は既存のＤＩＣＯＭ測定結果のエンコードの変更などは、このＳＲセンダーの技術者が、前記ＳＲレシーバーの技術者に前記変更を反映するマッピングファイルを更新することを知らせ、かつ交信したマッピングファイルを前記ＳＲレシーバー顧客へ送ることが必要となる。実際には、しかしながらこのような異なる製造者間の交信は、前記ＳＲレシーバー及び前記センダーの両方の技術者の時間を費やすものである。異なるバージョンの多重のマッピングファイルを維持することは、前記ＳＲレシーバーにとって困難であり、誤りを生じる恐れがある。さらに、ＳＲセンダーユーザーにより決めされた全ての測定結果がＤＩＣＯＭスキームを用いて伝達されることができないか、又は前記ユーザーにより決められた測定結果が前記最初のマッピングファイルで同定されないことがあり得ることから、限定されたＤＩＣＯＭスキームで伝達されねばならない。
【発明の概要】
【発明が解決しようとする課題】
【０００５】
本発明は、ダイコム構造化報告内容の取扱汎用方法を提供する。
【課題を解決するための手段】
【０００６】
標準測定結果を局所測定結果へマッピングするための方法。前記方法は、構造化報告情報オブジェクトを読み、前記構造化報告情報オブジェクトからの前記標準測定結果と、局所測定結果データベースから対応する既存の局所測定結果と一致させ、及び前記一致させた標準測定結果と前記対応する既存の局所測定結果と、かつさらに局所測定結果に対応しない不一致の標準測定結果を含むサマリーページを生成する、ことを含む方法である。
【０００７】
標準測定結果を局所測定結果にマッピングするためのシステムは、局所測定結果と対応する標準測定結果を記憶するメモリ；及び構造化報告オブジェクトを読み、前記構造化報告情報オブジェクトからの前記標準測定結果と対応する前記メモリからの既存の局所測定結果とを一致させるためのプロセッサを含み、前記プロセッサがさらに、前記一致させた標準測定結果と前記対応する既存の局所測定結果と、かつさらに局所測定結果に対応しない不一致の標準測定結果を含むサマリーページを生成する、システムである。
【０００８】
プロセッサにより実行可能な１組の命令を含むコンピューター読み取り可能な貯蔵媒体。前記１組の命令は、構造化報告情報オブジェクトを読み、前記構造化報告情報オブジェクトからの前記標準測定結果と、局所測定結果データベースからの対応する既存の局所測定結果と一致させ、及び前記一致させた標準測定結果と前記対応する既存の局所測定結果と、かつさらに局所測定結果に対応しない不一致の標準測定結果を含むサマリーページを生成する、命令である。
【図面の簡単な説明】
【０００９】
【図１】図１は、例示的実施態様によるシステムの模式的ダイヤグラムを示す。
【図２】図２は、例示的実施態様による方法のフローダイヤグラムを示す。
【図３】図３は、図２の方法による一致の例示的サマリーページのスクリーンショットを示す。
【図４】図４は、図２の方法による未知のＤＩＣＯＭ測定結果の一致のための例示的測定結果コンフィグレーションツールのスクリーンショットを示す。
【図５】図５は、他の例示的実施態様による方法のフローダイヤグラムを示す。
【図６】図６は、図５の方法により局所測定結果の例示的サマリーページのスクリーンショットを示す。
【図７】図７は、図５の方法による、新たな局所測定結果を追加するための例示的測定結果コンフィグレーションツールのスクリーンショットを示す。
【図８】図８は、図５の方法による前記新たな局所測定結果のＤＩＣＯＭ測定結果定義をインプットするための例示的測定結果コンフィグレーションウィンドウのスクリーンショットを示す。
【図９】図９は、図５の方法による既存の局所測定結果を編集するための例示的測定結果コンフィグレーションツールのスクリーンショットを示す。
【発明を実施するための形態】
【００１０】
前記例示的実施態様はさらに、以下の記載及び添付図面を参照して理解され得る。ここで類似の要素は同じ参照符号により参照される。前記例示的実施態様は、局所測定結果情報モデルを提供するためのシステム及び方法に関するものであり、例え前記医療装置及び／又はシステムが異なる製造者によるものであっても、医療装置及び／又はシステム間に前記局所測定結果の伝達を可能とするものである。特に前記例示的実施態様は局所的測定結果情報モデルを記載し、前記モデルはＤＩＣＯＭ測定結果の用語（ターム）とデザインを含み、一方で前記局所的かつＤＩＣＯＭ測定結果が相互操作可能で容易に伝達可能とするように、局所測定結果を維持する。当業者には、前記例示的実施態様が特にＤＩＣＯＭ測定結果、ターム及びプロトコルについて説明されるものではあるが、これらの例示的実施態様は、全ての許容され又は知られた測定標準を用いた測定結果の伝達を可能とするものである、ということは理解されるであろう。
【００１１】
図１は１例示的実施態様によるシステム１００を示す。留意すべきは、この実施態様ではマッピングファイルは、ＤＩＣＯＭ測定結果などの受け取られた標準測定結果を局所測定結果へ変換することは必要ないということである。システム００はプロセッサ１０２、ユーザインタフェース１０４、表示装置１０６及びメモリ１０８を含む。前記プロセッサ１０２は、１組のコンピューター読み取り可能な命令を含むソフトウェアアプリケーションとして埋め込まれたマッチングツール１１０を実行する。この１組のコンピューター読み取り可能な命令は実行されると、図２で与えられるステップ２２０及び以下説明されるように、ＤＩＣＯＭ測定結果を局所装置（即ち、ＳＲレシーバー及びＳＲセンダー）と一致させる。局所測定結果は測定結果データベース１１４に保存され、これには局所測定定義及び対応するＤＩＣＯＭ測定結果定義が含まれる。前記測定結果データベース１１４は前記メモリ１０８に記憶される。当業者には、前記測定結果データベース１１４がＤＩＣＯＭ測定結果定義及び局所測定結果定義の両方を介して検索可能であることが、理解されるであろう。
【００１２】
前記プロセッサ１０２はまた、以下の図４で示されるＧＵＩ及び１組のコンピューター読み取り可能な命令を含むソフトウェアアプリケーションとして埋め込まれる測定結果コンフィグレーションツール１１２を実行する。かかる実行によりエンドユーザが新たな局所測定結果を追加し及び／又は前記測定結果データベース１１４の既存の局所測定結果を編集（エディット）することを可能とする。かかる追加及び編集は、例えば前記ユーザインタフェース１０４を介してインプットされる。前記ユーザインタフェース１０４は、例えばマウス又はタッチスクリーン表示を含む。当業者に理解されるべきことは、前記メモリ１０８は、たとえば全ての知られるコンピューター読み取り可能な媒体であり、例えば記憶又は他のよく知られた目的で用いられるものである。また当業者に理解されるべきことは、前記システム１００は、例えばパーソナルコンピューター又は全てのその他の処理装置である。
【００１３】
図２に示されるように、１例示的実施態様によれば、方法２００はステップ２１０で、例えばシステム１００マッチングツール１１０を介してＳＲオブジェクトを読むことを含む。システム１００がＳＲセンダーかＳＲレシーバーかにより、前記ＳＲオブジェクトファイルがそれぞれシステム１００により生成されるか又は受け取られる。ステップ２２０で、前記マッチングツール１００は前記ＳＲオブジェクトを読み、前記ＳＲオブジェクトに含まれる全ての知られたＤＩＣＯＭ測定結果を、対応する前記測定結果データベースの既存の局所測定結果と一致させる。ステップ２３０で、前記一致させたＤＩＣＯＭ測定結果に基づき、一致のサマリーページを生成する。図３に示されるように、前記一致のサマリーページが表示装置１０６上に表として表示され、前記表の上列はＤＩＣＯＭコードを示しておりこれらは前記ＤＩＣＯＭ測定結果を局所測定結果と一致させるために使用され、表の続くそれぞれの列は前記ＳＲオブジェクトに含まれるＤＩＣＯＭ測定結果を表示する。前記個々は、ＤＩＣＯＭ測定結果を定義するそれぞれの列表示のＤＩＣＯＭタームからなり、前記ＤＩＣＯＭタームのそれぞれは前記上列のＤＩＣＯＭコードに関連する。「Ｍａｔｃｈｅｄ  Ｌｏｃａｌ  Ｍｅａｓｕｒｅｍｅｎｔ（一致局所測定結果）」なる見出しを持つ行は、前記ＳＲオブジェクトの前記ＤＩＣＯＭ測定結果と一致させた既存の局所測定結果を示す。
【００１４】
ステップ２４０で、前記方法２００は、未知のＤＩＣＯＭ測定結果が存在するかどうかを決定する。未知のＤＩＣＯＭ測定結果は、対応する局所測定結果が決定され得ないひとつである。前記未知のＤＩＣＯＭ測定結果はまた、前記一致のサマリーページにも示される。特に、未知のＤＩＣＯＭ測定結果は、図３の前記一致局所測定結果行の下のブランクノードで示される。従って、未知のＤＩＣＯＭ測定結果が存在するかどうかの決定はまた、前記ユーザーによって目視で、前記サマリーページの前記一致局所測定結果行にブランクノードがあるかどうかを決定することで行うことができる。当業者に理解されるべきことは、未知のＤＩＣＯＭ測定についてはいくつかの理由があり得るということである。例えば、前記ＳＲオブジェクトを生成した前記ＳＲセンダーが、前記マッチングツール１１０を最後に使用した後にそのＤＩＣＯＭ測定結果を変更した可能性がある。又は、前記ＳＲオブジェクトを生成した前記ＳＲセンダーが、前記ＳＲレシーバーのターゲットリストに加えられた新たなＳＲセンダーであり得る。
【００１５】
ステップ２４０で、未知ＤＩＣＯＭ測定結果が存在しないことが決められると、前記方法２００は終了する。しかし、未知ＤＩＣＯＭ測定結果が存在することが決められると、前記未知のＤＩＣＯＭ測定結果をステップ２５０で一致させる。前記未知のＤＩＣＯＭ測定結果は２つの方法のうちの１つで一致させられる。第１の方法では前記ユーザーが新規な局所測定結果を作成するために選択する。第２の方法では、前記ユーザーが、未知の測定結果を既存の局所測定結果に一致させるように選択することができる。未知のＤＩＣＯＭ測定結果の一致は、前記サマリーページから未知のＤＩＣＯＭ測定結果を選択することから開始される。前記未知のＤＩＣＯＭ測定結果は、前記ユーザインタフェースを介して、例えば未知のＤＩＣＯＭ測定結果列をクリックすることで選択され、又は「Ｍａｔｃｈｅｄ  Ｌｏｃａｌ  Ｍｅａｓｕｒｅｍｅｎｔ」行のブランクノードをマウス又はタッチスクリーン表示を用いて選択される。未知のＤＩＣＯＭ測定結果の選択は、図４に示されるように前記測定結果コンフィグレーションツール１１２を表示させる。前記コンフィグレーションツール１１２は、リストボックスを示すウィンドウを含み、前記リストは前記未知ＤＩＣＯＭ測定結果を前記既存の局所測定結果に関連付ける前記ＤＩＣＯＭタームで予め埋められている。従って、前記ユーザーは新規な局所測定結果を作成するか、又は対応するＤＩＣＯＭ測定結果について前記リストボックスから既存の局所測定結果を選択する。前記未知のＤＩＣＯＭ測定結果が一致させられると、新たな既知のＤＩＣＯＭ測定結果として考慮され得ることとなる。前記新たな既知ＤＩＣＯＭ測定結果及び対応する局所測定結果は前記メモリ１０８に記憶され、前記新たな既知のＤＩＣＯＭ測定結果を含む全てのさらなるＳＲオブジェクトが既知のＤＩＣＯＭ測定結果として一致させられ得る。
【００１６】
前記未知のＤＩＣＯＭ測定結果が１つの既存の局所測定結果と一致させる場合に、前記ユーザーは、前記既存の局所測定結果が既に一致させられ既知のＤＩＣＯＭ測定結果と対応しいるにもかかわらず、前記未知のＤＩＣＯＭ測定結果を前記既存の局所測定結果と一致させる。従って単一の局所測定結果が、複数のＤＩＣＯＭ測定結果と一致させることが可能である。単一の局所測定結果について複数のＤＩＣＯＭ測定結果が存在する場合には、前記ユーザーは、デフォルトＤＩＣＯＭ定義を対応する前記局所測定結果として選択することができる。当業者に理解されるべきことは、ステップ２４０〜２５０は、前記ＳＲオブジェクトの前記既知のＤＩＣＯＭ測定結果の全てを一致させるまで繰り返されることができるということである。
【００１７】
又は前記ユーザーはステップ２３０で生成された前記サマリーページを、ＤＩＣＯＭ測定結果を一致させるためになんらかの編集が必要かどうかを決定するためにレビューすることができる。例えば、既知のＤＩＣＯＭ測定結果が編集又は変更を必要とする場合、前記ユーザーは編集の必要な前記ＤＩＣＯＭ測定結果の前記列又はノードを選択し、これにより前記ユーザーが、前記方法３００に関して以下説明されるように、追加／編集のインプットを行うことを可能とする。当業者に理解されるべきことは、前記システム１００がＳＲセンダーである場合に、未知のＤＩＣＯＭ測定結果は、前記ＳＲセンダーが前記ＳＲオブジェクトを生成したことから、存在しないであろうということである。前記ＤＩＣＯＭ測定結果の全ては対応する局所測定結果と一致し得るものであり、この場合には前記方法２００はステップ２２０、２４０及び２５０を省略することができる。この場合には、前記ユーザーは、ステップ２３０で表示される前記サマリーページをレビューして全ての編集又は変更が必要かどうかを決めることができる。
【００１８】
他の例示的実施態様によれば、図５に示されるように、方法３００は局所測定結果を追加及び／又は編集するために前記測定結果コンフィグレーションツール１１２を表示さる。ステップ３１０で、前記方法３００は、全ての局所的に定義される測定結果を前記測定結果データベース１１４から取り出し、図６に示されるように前記本発明湯地装置１０６上に測定結果のサマリーページを表示する。ステップ３２０で、前記ユーザーは２つのうちの１つの次の操作を選択する。前記ユーザーは、新規な局所測定結果を追加することを選択するか、又は前記サマリーパージから既存の局所測定結果を編集するかのいずれかを選択する。前記ユーザーは、前記ユーザインタフェース１０４を介してオプションの新規測定結果を選択することで新たな局所測定結果を追加することを選択する。図７に示されるように、ステップ３３０で、前記新たな測定結果オプションを選択することでウィンドウが表示され、ここに前記ユーザーは新たな局所測定結果及び前記新規局所測定結果を定義するタームをインプットすることができる。前記ダイアログボックスは、リストボックスを含み、そこに前記ユーザーがデータをインプットするか、又はそこから前記局所測定結果を定義するタームを選択される。例えば、前記リストボックスは、タイプ（単位）、モード、研究タイプ、表示ラベルなどのカテゴリを含む。当業者に理解されるべきことは、リストボックスの全ての数のカテゴリは前記ダイアログボックスに含まれ得る、ということである。
【００１９】
ステップ３４０で、前記新たな局所測定結果及び新たな局所測定結果定義がインプットされると、対応するＤＩＣＯＭ測定結果及び前記ＤＩＣＯＭ測定結果を定義するＤＩＣＯＭタームがまたインプットされる。対応するＤＩＣＯＭ測定結果及びタームは、図７で示されるように、前記ダイアログボックスで追加オプションを選択することで追加され得る。前記追加オプションの選択は、図８に示されるようにＤＩＣＯＭ測定結果のウィンドウを表示する。ＤＩＣＯＭ測定結果の前記ウィンドウは、テンプレートを選択するためのオプション及び１組のリストボックスを含み、前記ユーザーは、前記ＤＩＣＯＭ測定結果を定義するために選択し得るそれぞれのリストボックスから種々の選択を行う。例えば、成人エコー測定結果を定義するために、前記ユーザーは、場所、ターゲット、ターゲットモディファイアー、イメージビュー、心臓相、フロー方向などを前記選択されたテンプレートに基づき特定する。前記対応するＤＩＣＯＭ測定結果が追加されると、ステップ３５０で、前記新たな局所測定結果がメモリ１０８に記憶され、前記対応するＤＩＣＯＭ測定結果へ／から前記新たな局所測定結果のためのマッピングが利用可能となる。
【００２０】
又は、ステップ３２０で、前記ユーザーは既存の局所測定結果を編集することを選択し得る。これは図６で示されるように、前記ユーザインタフェース１０４を介して前記サマリーページ上に表示される前記局所測定結果の１つを選択することにより実行される。前記既存の局所測定結果を選択すると、図９に示されるようにウィンドウが表示され、これを介して前記ユーザーは局所測定結果定義をインプットする。前記ウィンドウは、ステップ３３０及び図７に関連して説明された局所測定結果のウィンドウと類似のものである。しかし既存の局所測定結果を編集する場合に表示されるダイアログボックスは、既存の局所測定結果定義及び対応するＤＩＣＯＭ測定結果定義が予め埋められたリストボックスの全てを含むものとなる。例えば、図６から「Ａｌ  ｄｅｃ  ｓｌｏｐｅ」測定結果を選択すると、示されるように予め埋められたリストボックスを含む図９のダイアログボックスが表示される。ステップ３６０で、前記局所測定結果を定義する前記既存の局所測定結果ターム及び／又は対応するＤＩＣＯＭ測定結果タームを編集するために、前記ユーザーは対応するリストボックスの異なる選択を選択及び／又はインプットする。前記既存の局所測定結果が望ましく編集されると、ステップ３７０で、前記既存の局所測定結果の更新が前記測定結果データベース１１４へ記憶され、それにより前記ＤＩＣＯＭへの／からの前記局所測定結果のためのマッピングがまた更新される。
【００２１】
当業者に理解されるべきことは、ステップ３５０又は３７０のいずれかが完了した後、前記方法３００はステップ３２０に戻され、前記ユーザーが望む場合には局所測定結果を追加／変更を続けることができる、ということである。
【００２２】
当業者に理解されるべきことは、本開示の本質又は範囲から外れることなく種々の変更が本開示においてなされ得る、ということである。従って、本開示は、添付の特許請求の範囲及びその均等の範囲で与えられる開示の変更及び種々の変法などを含むことが意図されている。
【００２３】
また留意すべきは、特許請求の範囲はＰＣＴ規則６．２（ｂ）に基づいて参照符号／番号が付されている、ということである。しかし、本特許請求の範囲は、前記参照符号／番号に対応する前記例示的実施態様により限定されるものではない。
【図１】
0005579272.tif 000002
【図２】
0005579272.tif 000003
【図３】
0005579272.tif 000004
【図４】
0005579272.tif 000005
【図５】
0005579272.tif 000006
【図６】
0005579272.tif 000007
【図７】
0005579272.tif 000008
【図８】
0005579272.tif 000009
【図９】
0005579272.tif 000010